(57)【要約】【課題】工具などが換気口を通じて侵入することを抑制した分電盤を提供すること。【解決手段】内部に配電機器を収納するケース部材１１を備え、ケース部材の前面に換気口２１を備えた分電盤１であって、換気口の奥部に、ケース部材内部に配置された配電機器から離れる方向に延びる障壁部２３を備えた構成とする。【選択図】図５
2019017206.tif 000002
【特許請求の範囲】
【請求項１】
内部に配電機器を収納するケース部材を備え、ケース部材の前面に換気口を備えた分電盤であって、換気口の奥部に、ケース部材内部に配置された配電機器から離れる方向に延びる障壁部を備えた分電盤。
【請求項２】
障壁部が、ケース部材の内側に向かって延びるリブと接続されている請求項１に記載の分電盤。
【請求項３】
ケース部材に備えた扉を閉じた際、扉の端部が換気口の正面前方に位置する請求項１又は２に記載の分電盤。
【請求項４】
複数の換気口の各々にケース部材の内側に向かって延びるリブが複数設けられており、
ケース部材の中央側に位置するリブは、ケース部材の端部側に位置するリブよりも、前後方向の長さが長く設けられた請求項２乃至３の何れかに記載の分電盤。
【発明の詳細な説明】
【技術分野】
【０００１】
本発明は、分電盤に関するものである。
【背景技術】
【０００２】
特許文献１に記載されているように、モデムなどを収納する電気気収納用箱に換気口を設けることは知られている。また、住宅用分電盤の前面に換気口を設けて、筐体内部の換気を行えるようにすることも知られている。
【先行技術文献】
【特許文献】
【０００３】
【特許文献１】特開２０１１−９６８０２号公報
【０００４】
ところで、分電盤の前面に設けられた換気口は、単純に孔があいているだけのものであった。このため、誤って、工具や異物が侵入し、内部にあるブレーカなどに触れる虞があった。
【発明の概要】
【発明が解決しようとする課題】
【０００５】
本件の発明者は、この点について鋭意検討することにより、解決を試みた。本発明の課題は、工具などが換気口を通じて侵入することを抑制した分電盤を提供することである。
【課題を解決するための手段】
【０００６】
上記課題を解決するため、内部に配電機器を収納するケース部材を備え、ケース部材の前面に換気口を備えた分電盤であって、換気口の奥部に、ケース部材内部に配置された配電機器から離れる方向に延びる障壁部を備えた分電盤とする。
【０００７】
また、障壁部が、ケース部材の内側に向かって延びるリブと接続されている構成とすることが好ましい。
【０００８】
また、ケース部材に備えた扉を閉じた際、扉の端部が換気口の正面前方に位置する構成とすることが好ましい。
【０００９】
また、複数の換気口の各々にケース部材の内側に向かって延びるリブが複数設けられており、ケース部材の中央側に位置するリブは、ケース部材の端部側に位置するリブよりも、前後方向の長さが長く設けられた構成とすることが好ましい。
【発明の効果】
【００１０】
本発明では、工具などが換気口を通じて侵入することを抑制した分電盤を提供することが可能となる。
【図面の簡単な説明】
【００１１】
【図１】実施形態の分電盤の斜視図である。
【図２】実施形態の分電盤の斜視図である。但し、扉を開いた状態である。
【図３】実施形態のケース部材の斜視図である。
【図４】実施形態のケース部材の部分拡大図である。
【図５】図１のＶ-Ｖ断面図である。
【図６】実施形態の分電盤の分解斜視図である。
【図７】カバー部材を裏側から見た斜視図である。
【図８】ボデー部材の斜視図である。
【図９】扉の裏側を表した斜視図である。
【図１０】実施形態の分電盤の正面図である。
【発明を実施するための形態】
【００１２】
以下に発明を実施するための形態を示す。図１乃至図５に示されていることから理解されるように、実施形態の分電盤１は、内部に配電機器を収納するケース部材１５を備え、ケース部材１５の前面に換気口２１を備えている。また、換気口２１の奥部には、ケース部材１５内部の中央付近に配置された配電機器から離れる方向に延びる障壁部２３を備えている。このため、工具などが換気口２１を通じて侵入することを抑制した分電盤１を提供することが可能となる。
【００１３】
実施形態の分電盤１は、ボデー部材１４とカバー部材１１を有するケース部材１５を備えている。このケース部材１５には配電機器が収納されている。また、図６に示されることから理解されるように、実施形態では、後面側に位置するボデー部材１４に、配電機器を備えた内機１６が固定されている。
【００１４】
実施形態のカバー部材１１は開口部１２を備えている。この開口部１２を覆うように、前面パネル１３が取り付けられるが、この際、開口部１２の端部に着脱可能に取り付けられる。この前面パネル１３は開口部１２を覆った際に、内機１６の開閉器等の配電機器のハンドルを露出させる表示窓９９を備えている。前面パネル１３は着脱可能であるため、内機１６の状態にあわせて適切な形態の前面パネル１３を選択することができる。したがって、製造されるカバー部材１１の種類を抑制しながら、多様な内機１６に適切に対応させることができる。
【００１５】
図７に示すように、実施形態のカバー部材１１にはボデー部材１４と固定するために用いるラッチ部９８を備えている。また、このラッチ部９８を操作する操作部９７をカバー部材１１の前面側に備えている。また、図８に示すように、ボデー部材１４にはラッチ部９８と係止する係止部９６を備えている。この係止部９６はボデー部材１４の側枠１９よりも突出するように構成されている。
【００１６】
図１乃至図３及び図９に示すことから理解されるように、カバー部材１１には開閉可能な扉１７を着脱可能に設けている。この扉１７は、カバー部材１１の前面パネル１３から露出される配電機器のハンドルを覆うことができる。なお、扉１７とカバー部材１１は押し操作をすることにより、ロック状態と解錠状態を選択することができるようにするため、実施形態の分電盤１にはプッシュラッチ１００を備えている。
【００１７】
ところで、実施形態の分電盤１は、分岐ブレーカ８２や計測ユニット８３等の配電機器を固定する取付台１８を備える。この取付台１８に、主幹ブレーカ８１、分岐ブレーカ８２、計測ユニット８３等の配電機器が固定されることにより内機１６が構成される。
【００１８】
分電盤１の外に位置する商用電源と接続される主幹ブレーカ８１は、リードバーを介して母線バーに接続される。母線バーは分岐ブレーカ８２や計測ユニット８３などの配電機器と接続され、各々に電力を供給する。実施形態の分電盤１は、この母線バーとリードバーを支持・固定するためにリードバー接続端子台８６を備えている。
【００１９】
また、実施形態の分電盤１は、リードバー接続端子台８６とは反対側には母線バーの開放端部を支持する母線バー端子台８７を備えている。母線バー端子台８７は、母線バーの左右を開放させた状態で母線バーを支持する構成であるため、母線バーの長手方向端部から配電機器の接続部を接続させることが可能である。なお、母線バーの前面には母線バーに触れないように充電保護カバー８８が設けられている。
【００２０】
実施形態では、カバー部材１１の上部側であり、内機１６の配電機器よりも上方位置に換気部２を備えている。換気部２は通気用の換気口２１、換気口２１の正面側、詳しくは、カバー部材１１の内面の換気口２１の下端付近からケース部材１５の内側、詳しくは、カバー部材１１からボデー部材１４方向に向かって延びるリブ２２、このリブ２２と接続されている面状の障壁部２３を備えている。この障壁部２３は換気口２１と対向するように配置されている。このように、障壁部２３が、ケース部材１５の内側に向かって延びるリブ２２と接続されている構造であると、ほこりなどが入りにくいものとなる。なお、実施形態では、リブ２２と障壁部２３は一体的に設けられており、リブ２２の端部から障壁部２３が延びるような構成となっている。
【００２１】
分電盤１の内部には配電機器が収納されるが、配電機器の端子部の充電部に工具や針金等が入らないようにするため、リブ２２の奥側先端から見て配電機器配置方向に対して反対側に障壁部２３が延びるように設けられている。このようにリブ２２の奥側先端から配電機器と離れる方向に対して障壁部２３が延びるようにする、詳しくは、障壁部２３がカバー部材１１の上面側に向かって延びるようにすることで、工具がブレーカなどの配電機器に接触することを抑制することができる。また、リブ２２自体においても、工具がブレーカなどの配電機器に接触することを抑制することもできる。
【００２２】
実施形態では、略水平方向に延びるリブ２２の奥側先端から見て下方に配電機器が位置するのに対して、上方に障壁部２３が延びるように設けられている。このため、換気口２１から流入した空気は配電機器から離れるように分電盤１内の上部に向かって移動することになる。実施形態では、壁面等に取り付けられるボデー部材１４に排気口３を設けており、暖められた空気をボデー部材１４側から排気可能としている。詳しくは、ボデー部材１４側の排気口３はカバー部材１１側の換気口２１よりも上方に設けており、分電盤１の内部で暖められた空気を外部に排出しやすくなっている。
【００２３】
なお、実施形態ではリブ２２と障壁部２３が直交するように設けられているが、障壁部２３は、少なくともリブ２２よりも上方に向かって延びるように設けられていれば良い。障壁部２３が接続されたリブ２２よりも上方に向かって延びるように設けられていれば、工具が配電機器の充電部まで入らないようにすることができる。また、分電盤１内部のブレーカなどが目視できない状態とすることもできる。本実施形態は、リブ２２に障壁部２３を一体に形成しているものであるが、カバー部材１１の内面の換気口２１の下端付近から障壁部２３のみを形成するものであっても良い。
【００２４】
ところで、実施形態のケース部材１５には、扉１７を備えている。図５及び図１０に示すことから理解されるように、この扉１７を閉じた際、扉１７の上端部が換気口２１の正面前方に位置するように構成することで、前面側から換気口２１を目視できないようにしている。このようにすることで、意匠性を向上させるとともに正面側から工具等が侵入できないようにすることができる。なお、扉１７により正面から換気口２１が見え難いようになっているが、換気口２１と扉１７の間には空間が確保できるようになっており、この空間の上方が開放状態となっている。このため、空気を換気口２１に導入することができ、扉１７を付けた場合でも換気性能が損なわれないものとすることができる。
【００２５】
また、実施形態では、複数の換気口２１の各々に形成した左右が長手方向となるリブ２２が、上下方向に並ぶように設けられている。このリブ２２は前後方向の長さが異なるものとなるように設けられている。実施形態では、ケース部材１５の中央側、詳しくは、配電機器の配置側に位置するリブ２２は、ケース部材１５の端部側、詳しくは、ケース部材１５の上側に位置するリブ２２よりも、前後方向の長さが長くなっている。したがって、図５に示した例では、上側に位置するリブ２２よりも下側に位置するリブ２２の方が、前後方向の長さが長くなっている。なお、実施形態では、下側に位置するリブ２２の方が上側に位置するリブ２２よりも前方に突出するように構成されている。また、下側に位置するリブ２２と上側に位置するリブ２２は、後端が上下方向に並ぶように構成されている。
【００２６】
ケース部材１５の中央側に位置するリブ２２の前後方向の長さを、ケース部材１５の端部側に位置するリブ２２の前後方向の長さよりも、長くなるようにすると、上方から角度を付けて工具等を挿入しようとしてもカバー部材１１内部側に侵入させることが困難となる。また、カバー部材１１は、通常、中央に向かうほど弱くなるが、中央に向かうほど、リブ２２のケース部材１５の内側方向の長さが長くなるようにすれば、リブ２２による補強も効率よくおこなうことができる。
【００２７】
以上、一つの実施形態を中心として説明してきたが、本発明は上記実施形態に限定されることはなく、各種の態様とすることが可能である。例えば、リブは設けず障壁部だけ設けることも可能である。また、本実施形態の換気部はカバー部材１１の正面側の上部側に形成したものであるが、下方位置・左右位置に備えるものであっても良い。下方位置に換気口２１を形成した場合は、障壁部２３は下面方向に延びるものとし、左右位置に換気口２１を形成した場合は、障壁部２３は左右外側方向に延びるものとするものである。
【符号の説明】
【００２８】
１  分電盤
１５  ケース部材
１７  扉
２１  換気口
２２  リブ
２３  障壁部
【図１】
2019017206.tif 000003
【図２】
2019017206.tif 000004
【図３】
2019017206.tif 000005
【図４】
2019017206.tif 000006
【図５】
2019017206.tif 000007
【図６】
2019017206.tif 000008
【図７】
2019017206.tif 000009
【図８】
2019017206.tif 000010
【図９】
2019017206.tif 000011
【図１０】
2019017206.tif 000012